(57)【特許請求の範囲】
【請求項１】
腕時計本体に取り付けられる時計バンドを収納する時計バンド用パッケージであって、
パッケージ本体に任意の腕時計本体を透かすことのできる窓部と、
その窓部と接するように、時計バンドを透明なカバー部材で収納するバンド収納部とを備えた時計バンド用パッケージ。
【請求項２】
腕時計本体に取り付けられて、その端部を結合させる雄バンドと雌バンドからなる時計バンドの腕時計本体への取付状態と同様に、窓部をはさんで雄バンドと雌バンドが長手方向へ一列になるように収納されるバンド収納部を備えた請求項１記載の時計バンド用パッケージ。
【請求項３】
パッケージ本体を長手方向へ折り畳み可能とした請求項２記載の時計バンド用パッケージ。
【請求項４】
腕時計本体に取り付けられて、その端部を結合させる雄バンドと雌バンドからなる時計バンドの雄バンドと雌バンドをそれぞれパッケージ本体の片面ずつに収納するバンド収納部を備えた請求項１記載の時計バンド用パッケージ。
【請求項５】
バンド収納部は、時計バンドを長手方向へ湾曲して収納する請求項１から４のいずれかに記載の時計バンド用パッケージ。
【請求項６】
バンド収納部内で湾曲する時計バンドに当接させる円弧状のあて材を備えた請求項５記載の時計バンド用パッケージ。
【請求項７】
バンド収納部のカバー部材に平坦部を備えた請求項５又は６記載の時計バンド用パッケージ。
【請求項８】
パッケージ本体を長手方向へ湾曲させた請求項１又は２記載の時計バンド用パッケージ。
【請求項９】
パッケージ本体を長手方向へ輪状とした請求項１又は２記載の時計バンド用パッケージ。
【請求項１０】
バンド収納部に、時計バンドを腕時計本体へ取り付けるための取付工具を収納するスペースを備えた請求項１から９のいずれかに記載の時計バンド用パッケージ。
【請求項１１】
窓部は、穿孔又は透明体を配した穿孔でなることを特徴とする請求項１から１０のいずれかに記載の時計バンド用パッケージ。
【請求項１２】
透明体は凸形又は平板であることを特徴とする請求項１１記載の時計バンド用パッケージ。
【請求項１３】
パッケージ本体、窓部又はバンド収納部のカバー部材に腕時計本体の時計バンド取付径を計測できるメモリを設けた請求項１から１２のいずれかに記載の時計バンド用パッケージ。
【発明の詳細な説明】
【０００１】
【発明の属する技術分野】
本発明は、時計バンド用のパッケージに関する。
【０００２】
【従来の技術】
店頭で陳列・配列などされている時計バンドは、種々の時計バンド用パッケージに収納されているが、実際にパッケージから時計バンドを取り出して腕時計に当ててみないと、腕時計本体に取り付けた時計バンドの様子が分からなかった。従って、パッケージに収納されたままで、腕時計本体への取付状態が分かる時計バンド用パッケージがあると、時計バンド購入希望者にとって非常に便利である。
【０００３】
特開平４−２３９４８０号公報「腕時計バンド用パッケージ」には、腕時計バンドをコンパクトに収容でき、時計ケース（腕時計本体）に装着したような状態を得られる技術が開示されている。図１４に示すように、この従来例では、２個の中空腕部１から構成され、この中空腕部１はその先端が通常の時計ケース（腕時計本体）とほぼ同等の大きさの断面を有する開口２が腕部の間に形成されるように相互に連結されている。そして、図１５に示すように中空腕部１を開いて、購入者は自分の時計の上にバンドを置くことができ、すなわち時計ケースは開口２から見え、新しいバンドが時計ケースに装着された効果を評価できるとされている（同公報第２頁右欄１７行〜２０行に記載）。
【０００４】
【発明が解決しようとする課題】
しかし、この従来例では、以下のような問題点がある。
▲１▼  収容されるバンドと開口２の位置がずれているので、装着時の正確な状況が理解できない。
▲２▼  図４の態様では、収容されたバンドが中空腕部１の側面から抜け落ちてしまい、パッケージとしての機能を果たさない。
▲３▼  比較的複雑な構造となっているため製法・材料などの製造コストがかかり、使い捨てされることの多い腕時計用パッケージとしては、実用性が困難である。
【０００５】
そこで、本発明は、上記課題を解決して、実用性のある時計バンド用パッケージを提供することを目的とする。
【０００６】
【課題を解決するための手段】
上記目的を達成するために、請求項１記載の発明は、腕時計本体に取り付けられる時計バンドを収納する時計バンド用パッケージであって、パッケージ本体に任意の腕時計本体を透かすことのできる窓部と、その窓部と接するように、時計バンドを透明なカバー部材で収納するバンド収納部とを備えたことを特徴とする。
【０００７】
請求項２記載の発明は、腕時計本体に取り付けられて、その端部を結合させる雄バンドと雌バンドからなる時計バンドの腕時計本体への取付状態と同様に、窓部をはさんで雄バンドと雌バンドが長手方向へ一列になるように収納されるバンド収納部を備えたことを特徴とする。
ここで、「その端部を結合させる雄バンドと雌バンド」とは、一般的な腕時計本体の１２時側に付ける時計バンドと６時側に付ける時計バンドをいう。例えば、皮革バンドであれば、美錠や定革の設けられた親バンドと、長手方向一列に複数の小穴の設けられた剣先バンドをいう。
【０００８】
請求項３記載の発明は、パッケージ本体を長手方向へ折り畳み可能としたことを特徴とする。また、請求項４記載の発明は、腕時計本体に取り付けられて、その端部を結合させる雄バンドと雌バンドからなる時計バンドの雄バンドと雌バンドをそれぞれパッケージ本体の片面ずつに収納するバンド収納部を備えたことを特徴とする。
【０００９】
請求項５記載の発明は、バンド収納部は、時計バンドを長手方向へ湾曲して収納することを特徴とする。また、請求項６記載の発明は、バンド収納部内で湾曲する時計バンドに当接させる円弧状のあて材を備えたことを特徴とする。さらに、請求項７記載の発明は、バンド収納部のカバー部材に平坦部を備えたことを特徴とする。
【００１０】
請求項８記載の発明は、パッケージ本体を長手方向へ湾曲させたことを特徴とする。また、請求項９記載の発明は、パッケージ本体を長手方向へ輪状としたことを特徴とする。
【００１１】
請求項１０記載の発明は、バンド収納部に、時計バンドを腕時計本体へ取り付けるための取付工具を収納するスペースを備えたことを特徴とする。
【００１２】
請求項１１記載の発明は、窓部は、穿孔又は透明体を配した穿孔でなることを特徴とする。そして、請求項１２記載の発明は、その透明体が凸形又は平板であることを特徴とする。
【００１３】
請求項１３記載の発明は、パッケージ本体、窓部又はバンド収納部のカバー部材に腕時計本体の時計バンド取付径を計測できるメモリを設けたことを特徴とする。
【００１４】
【作用】
請求項１記載の発明によれば、任意の腕時計本体をパッケージ本体の窓部から、またその窓部と接してバンド収納部に収納される時計バンドを透明なカバー部材から見ることができ、任意の腕時計本体にその時計バンドを取り付けたように見える。
【００１５】
請求項２記載の発明によれば、窓部をはさみ、雄バンドと雌バンドが長手方向へ一列になるように収納されるため、腕時計本体に雄バンドと雌バンドをそれぞれ取り付けたように見える。
【００１６】
請求項３記載の発明によれば、パッケージ本体を長手方向へ折り畳むことで、時計バンド用パッケージの縦寸法が短くなる。同様に、請求項４記載の発明によれば、雄バンドと雌バンドをそれぞれパッケージ本体の片面ずつに収納することで、時計バンド用パッケージの縦寸法を短くできる。
【００１７】
請求項５記載の発明によれば、時計バンドを長手方向へ湾曲してバンド収納部へ収納することで、バンド収納部の縦寸法を短くでき、その結果、時計バンド用パッケージの縦寸法が短くなる。また、請求項６記載の発明によれば、バンド収納部内で湾曲する時計バンドに円弧状のあて材を当接させることで、時計バンドの湾曲状態が確実に保持される。さらに、請求項７記載の発明によれば、バンド収納部のカバー部材に平坦な平坦部を備えたことで、その平坦部に表示された記載は読みやすくなる。
【００１８】
請求項８記載の発明によれば、パッケージ本体を長手方向へ湾曲させたことで、時計バンド用パッケージの縦寸法が短くなる。同様に、請求項９記載の発明によれば、パッケージ本体を長手方向へ輪状としたことで、時計バンド用パッケージの縦寸法が短くなる。
【００１９】
請求項１０記載の発明によれば、バンド収納部に取付工具を収納するスペースを備えることで、そのスペースに取付工具が収納される。
【００２０】
請求項１１及び１２記載の発明によれば、窓部が穿孔又は透明体を配した穿孔でなることで、その窓部に当てた任意の腕時計本体を透かすことができる。
【００２１】
請求項１３記載の発明によれば、パッケージ本体、窓部又はバンド収納部のカバー部材にメモリを設けたことで、腕時計本体の時計バンド取付径を簡単に計測できる。
【００２２】
【発明の実施の形態】
本発明の実施の形態について図面を用いて説明する。
図１及び図２は、本発明の第一の実施形態（第一実施形態）を示す正面図及びＡ−Ａ断面図である。時計バンド用パッケージ１０１は、短冊状のパッケージ本体１１１に、任意の腕時計本体を透かすことのできる窓部２０１と、その窓部２０１と接するように、時計バンドを透明なカバー部材３５１，３６１で収納するバンド収納部３０１，３１１とを備える。バンド収納部３０１，３１１は、窓部２０１をはさみ、時計バンドの腕時計本体への取付状態と同様に時計バンドを構成する雄バンド６２と雌バンド６３が長手方向へ一列に収納されている。なお、図１及び図２に示すカバー部材３５１，３６１は一体構成されたものであるが、それぞれ独立したものであってもよい。
【００２３】
ここで、雄バンド６２は、腕時計本体の１２時側に取り付けられ、美錠６５を備えた親バンドであり、雌バンド６３は、腕時計本体の６時側に取り付けられ、小穴６６，６６，…を備えた剣先バンドである。そして、雄バンド６２、雌バンド６３とも腕時計本体への取付側が窓部２０１側へ向くように収納されている。なお、パッケージ本体１１１の上端には、この時計バンド用パッケージ１０１を陳列棚のブラケットへ掛け止めるための掛止穴１２１を設けている。これは、逆Ｊ字状のフックなどであってもよい。
【００２４】
図３は、この時計バンド用パッケージ１０１の使用状態を示す説明図である。例えば、自分の手首に装着している腕時計６０の腕時計本体６１へ、時計バンド用パッケージ１０１の窓部２０１を当てる。すると、窓部２０１は腕時計本体６１を透かして、透明なカバー部材３５１，３６１のバンド収納部３０１，３１１に収納されている雄バンド６２と雌バンド６３を腕時計本体６１へ取り付けたような状態に見える。これにより、時計バンド用パッケージ１０１へ収納されながらも、任意の腕時計本体６１へ雄バンド６２と雌バンド６３を取り付けたときの状態（取付状態）を確認することができる。
【００２５】
図４は、本発明の第二実施形態を示す断面図である。時計バンド用パッケージを陳列する陳列棚には、高さ方向の寸法に限度がある。従って、窓部２０１まで設けた第一実施形態の時計バンド用パッケージ１０１は縦寸法Ｔ１が長すぎて、既存の陳列棚には陳列できないことが考えられる。この第二実施形態はこれを解消したものであり、時計バンド用パッケージ１０２はパッケージ本体１１２を長手方向へ二つに折り畳み（Ｐ１）可能としたものである。パッケージ本体１１２を折り畳むことで縦寸法Ｔ２が半分程度となり、既存の陳列棚への陳列が可能となる。そして、時計バンドの腕時計本体６１への雄バンド６２と雌バンド６３の取付状態確認の際には、パッケージ本体１１２を広げる（Ｐ２）ことで簡単に確認することができる。
【００２６】
図５は、本発明の第三実施形態を示す断面図である。この時計バンド用パッケージ１０３は、雄バンド６２と雌バンド６３をそれぞれパッケージ本体１１３の片面ずつに収納するバンド収納部３０３，３１３を備えたものである。こうすることで、時計バンド用パッケージ１０３の縦寸法Ｔ３を短くでき、既存の陳列棚へ陳列可能となる。また、時計バンドの腕時計本体６１への雄バンド６２と雌バンド６３の取付状態の確認も、時計バンド用パッケージ１０３の窓部２０３を片面ずつ腕時計本体６１に当てることで、雄バンド６２と雌バンド６３を交互に確認することができる。
【００２７】
図６は、本発明の第四実施形態を示す斜視図である。この時計バンド用パッケージ１０４は、既存の陳列棚へ陳列可能とすべく、雄バンド６２と雌バンド６３を長手方向へ湾曲して収納するようにしたものである。こうすることで、バンド収納部３０４，３１４の長手方向の寸法を短くでき、時計バンド用パッケージ１０４の縦寸法Ｔ４を短くすることが可能となる。雄バンド６２と雌バンド６３を湾曲して収納するために、カバー部材３５４，３６４を長手方向断面湾曲状に形成している。そして、この湾曲するカバー部材３５４，３６４へ当接するように雄バンド６２と雌バンド６３が収納される。ただし、雄バンド６２と雌バンド６３を長手方向へ湾曲して収納していれば、とくにカバー部材３５４，３６４の形状は問わない。
【００２８】
図７は、第四実施形態のバンド収納部３０４，３１４内に、雄バンド６２と雌バンド６３の湾曲状態を維持するための円弧状のあて材５０，５０を備えたものである。これにより、雄バンド６２と雌バンド６３の湾曲状態が確実に保持される。
【００２９】
図８は、第四実施形態の長手方向断面湾曲状に形成されたカバー部材３６４の一部に平坦部３７４を備えたものである。断面湾曲状の部分に記載事項を表示するよりも、この平坦部に記載事項を表示すると、その記載が読みやすくなる。
【００３０】
図９は、本発明の第五実施形態を示す断面図である。これは、時計バンド用パッケージ１０５のパッケージ本体１１５を長手方向へ湾曲させ、それに窓部２０５、バンド収納部３０５，３１５を備えたものである。こうすることで、時計バンド用パッケージ１０５の縦寸法Ｔ５を短くでき、既存の陳列棚へ陳列可能となる。一方で、窓部２０５へ時計バンドの腕時計本体６１を当てることで、時計バンドの取付状態の確認も可能である。
【００３１】
図１０は、本発明の第六実施形態を示す断面図である。これは、時計バンド用パッケージ１０６のパッケージ本体１１６を長手方向へ輪状とし、それに窓部２０６とバンド収納部３０６，３１６を備えたものである。輪状になっているパッケージ本体１１６に手を通し、腕時計本体６１を窓部２０６に当てることで、実際の手首への装着状態に近い形で時計バンドの取付状態の確認ができる。なお、時計バンド用パッケージ１０６の場合には、第一実施形態の時計バンド用パッケージ１０１のように、パッケージ本体１１１に掛止穴１２１を設けなくても、輪状の中に陳列棚のブラケットを通すことで簡単に時計バンド用パッケージ１０６を陳列できる。
【００３２】
図１１は、本発明の第七実施形態を示す正面図及びＢ−Ｂ断面図である。これは、時計バンド用パッケージ１０７のバンド収納部３１７の側部側に取付工具を収納する収納スペース３８７を連設したものである。
【００３３】
図１２は、パッケージ本体１１に備える窓部２０の態様を示す説明図である。図１２（I）（II）は、円形の穿孔２１に透明体を配するもので、（I）には凸状の透明体２５を、（II）には平らな透明体２６を配している。また、（III）は円形の穿孔２１のみからなっている。なお、穿孔の形状は円形に限られず、楕円形、多角形のものなどであってもよい。
【００３４】
図１３は、パッケージ本体１１の端部にメモリ１３を設けたものである。これに腕時計本体６１を当てることで、時計バンド取付部分のサイズをその場で確認でき、サイズに適合する時計バンドを購入できる。なお、メモリ１３は、パッケージ本体１１に限らず、窓部やカバー部材など腕時計本体６１を当てることのできる部分に設けてよい。
【００３５】
【発明の効果】
上記のような本発明によると、次のような効果を有する。
▲１▼  時計バンド用パッケージに収納されたまま、その収納された時計バンドを任意の腕時計本体へ取り付けたときの状態を確認することができる。
▲２▼  時計バンド用パッケージの縦寸法を短くできるので、既存の時計バンド用陳列棚へ陳列することができる。
▲３▼  時計バンド用パッケージは使い捨てされるものであるが、簡単な構造のため低資源・低コストで製造でき、環境にやさしい製品である。
【図面の簡単な説明】
【図１】  本発明の第一実施形態を示す正面図。
【図２】  本発明の第一実施形態を示すＡ−Ａ断面図。
【図３】  本発明の第一実施形態の使用状態を示す説明図。
【図４】  本発明の第二実施形態を示す断面図。
【図５】  本発明の第三実施形態を示す断面図。
【図６】  本発明の第四実施形態を示す斜視図。
【図７】  本発明の第四実施形態を示すその他の斜視図。
【図８】  本発明の第四実施形態を示すその他の斜視図。
【図９】  本発明の第五実施形態を示す断面図。
【図１０】  本発明の第六実施形態を示す断面図。
【図１１】  本発明の第七実施形態を示す正面図及びＣ−Ｃ断面図。
【図１２】  パッケージ本体に備える窓部の態様を示す説明図。
【図１３】  パッケージ本体の端部にメモリを設けた説明図。
【図１４】  従来技術を示す説明図。
【図１５】  従来技術を示す説明図。
【符号の説明】
６２  雄バンド            ６３  雌バンド
１１４  パッケージ本体    ２０４  窓部
３０４  バンド収納部      ３１４  バンド収納部
３５４  カバー部材        ３６４  カバー部材
【図１】
0003711452.tif 000002
【図２】
0003711452.tif 000003
【図３】
0003711452.tif 000004
【図４】
0003711452.tif 000005
【図５】
0003711452.tif 000006
【図６】
0003711452.tif 000007
【図７】
0003711452.tif 000008
【図８】
0003711452.tif 000009
【図９】
0003711452.tif 000010
【図１０】
0003711452.tif 000011
【図１１】
0003711452.tif 000012
【図１２】
0003711452.tif 000013
【図１３】
0003711452.tif 000014
【図１４】
0003711452.tif 000015
【図１５】
0003711452.tif 000016